(57)【要約】宣伝広告機能の高いコンテンツの作成方法および、そのようなコンテンツの配信に好適なコンテンツ配信装置を提供することを目的とする。ユーザＰＣ（１００）は、ＰＶａｄサービスサーバ（２００）にアクセスしてＰＶａｄ（広告要素を含んだプロモーションビデオ映像）の配信を要求し、ＰＶａｄサービスサーバ２００は、ＰＶａｄを配信する。ＰＶａｄは、ビデオ映像に含まれるアーティスト等を特定するＰＶ−ＩＤと、広告要素を特定するａｄ−ＩＤとに対応づけて記録されている。ＰＶａｄサービスサーバ（２００）は、その配信ログをＰＶａｄ視聴カウンタＤＢ４００に記録する。広告主ＰＣ（６００）は、視聴データを要求し、ＰＶａｄサービスサーバ（２００）は、ＰＶａｄ視聴カウンタＤＢ（４００）に記録されたデータから、ａｄ−ＩＤに基づいて視聴ログを抽出し、広告主視聴データとして送信する。
2003060731.tif 000002
【特許請求の範囲】
【請求項１】
ネットワークを通じてコンテンツを配信するコンテンツ配信装置であって、
前記コンテンツは、
コンテンツ部分と広告部分とを含むデータによって構成されており、
前記コンテンツ配信装置は、
前記コンテンツ部分に関する情報を示すコンテンツ部分指示情報および前記広告部分に関する情報を示す広告部分指示情報と対応づけて、前記コンテンツを記録するコンテンツ記録手段、
前記コンテンツを配信するコンテンツ配信手段、
を備えたコンテンツ配信装置。
【請求項２】
コンピュータを、ネットワークを通じてコンテンツを配信するコンテンツ配信装置として機能させるための、コンピュータ読取可能なプログラムであって、
前記コンテンツは、
コンテンツ部分と広告部分とを含むデータによって構成されており、
前記プログラムは、
前記コンテンツ部分に関する情報を示すコンテンツ部分指示情報および前記広告部分に関する情報を示す広告部分指示情報と対応づけて、前記コンテンツを記録するコンテンツ記録手段、
前記コンテンツを配信するコンテンツ配信手段、
を備えたコンテンツ配信装置として機能させるためのプログラム。
【請求項３】
請求の範囲第１項または第２項に記載の前記コンテンツ配信装置、またはプログラムにおいて、
前記コンテンツ配信装置は、さらに、
前記コンテンツ配信手段が前記コンテンツを配信する際に、前記コンテンツ部分指示情報および前記広告部分指示情報と対応づけて、その配信履歴に関する配信履歴データを記録する配信履歴データ記録手段、
を備えたことを特徴とするもの。
【請求項４】
ネットワークを通じてコンテンツを配信するコンテンツ配信装置であって、
前記コンテンツは、
コンテンツ部分と広告部分とを含むデータによって構成されており、
前記コンテンツ配信装置のＣＰＵは、
前記コンテンツ部分に関する情報を示すコンテンツ部分指示情報および前記広告部分に関する情報を示す広告部分指示情報と対応づけて、前記コンテンツを記録し、
前記コンテンツを配信し、
前記コンテンツを配信する際に、前記コンテンツ部分指示情報および前記広告部分指示情報と対応づけて、その配信履歴に関する配信履歴データを記録すること、
を特徴とするコンテンツ配信装置。
【請求項５】
ネットワークを通じて配信されるコンテンツの配信の履歴を記録するコンテンツ配信履歴記録装置であって、
前記コンテンツは、
コンテンツ部分と広告部分とを含むデータによって構成され、さらに、前記コンテンツ部分に関する情報を示すコンテンツ部分指示情報および前記広告部分に関する情報を示す広告部分指示情報と対応づけて記録されており、
前記コンテンツ配信履歴記録装置は、
前記コンテンツが配信されると、前記コンテンツ部分指示情報および前記広告部分指示情報と対応づけて、その配信履歴に関する配信履歴データを記録する配信履歴データ記録手段、
を備えたことを特徴とするコンテンツ配信履歴記録装置。
【請求項６】
コンピュータを、ネットワークを通じて配信されるコンテンツの配信の履歴を記録するコンテンツ配信履歴記録装置として機能させるための、コンピュータ読取可能なプログラムであって、
前記コンテンツは、
コンテンツ部分と広告部分とを含むデータによって構成され、さらに、前記コンテンツ部分に関する情報を示すコンテンツ部分指示情報および前記広告部分に関する情報を示す広告部分指示情報と対応づけて記録されており、
前記プログラムは、
前記コンテンツが配信されると、前記コンテンツ部分指示情報および前記広告部分指示情報と対応づけて、その配信履歴に関する配信履歴データを記録する配信履歴データ記録手段、
を備えたコンテンツ配信履歴記録装置として機能させるためのプログラム。
【請求項７】
請求の範囲第４項〜第６項にいずれかに記載のコンテンツ配信履歴記録装置において、前記コンテンツ配信履歴記録装置は、さらに、
前記コンテンツ部分の提供元のユーザが、前記配信履歴データ記録手段に記録された配信履歴データの取得を要求した場合には、前記コンテンツ部分指示情報と対応づけて記録されている前記配信履歴データを、コンテンツ部分用配信履歴データとして抽出して前記コンテンツ部分の提供元のユーザに対して出力するコンテンツ部分用配信履歴データ抽出出力手段、
前記広告部分の提供元のユーザが、前記配信履歴データ記録手段に記録された配信履歴データの取得を要求した場合には、前記広告部分指示情報と対応づけて記録されている前記配信履歴データを、広告部分用配信履歴データとして抽出して前記広告部分の提供元のユーザに対して出力する広告部分用配信履歴データ抽出出力手段、
を備えたことを特徴とするもの。
【請求項８】
ネットワークを通じて配信されるコンテンツの配信の履歴を記録するコンテンツ配信履歴記録装置であって、
前記コンテンツは、
コンテンツ部分と広告部分とを含むデータによって構成され、さらに、前記コンテンツ部分に関する情報を示すコンテンツ部分指示情報および前記広告部分に関する情報を示す広告部分指示情報と対応づけて記録されており、
前記コンテンツ配信履歴記録装置のＣＰＵは、
前記コンテンツが配信されると、前記コンテンツ部分指示情報および前記広告部分指示情報と対応づけて、その配信履歴に関する配信履歴データを記録し、
前記コンテンツ部分の提供元のユーザが、前記記録された配信履歴データの取得を要求した場合には、前記コンテンツ部分指示情報と対応づけて記録されている前記配信履歴データを、コンテンツ部分用配信履歴データとして抽出して前記コンテンツ部分の提供元のユーザに対して出力し、
前記広告部分の提供元のユーザが、前記記録された配信履歴データの取得を要求した場合には、前記広告部分指示情報と対応づけて記録されている前記配信履歴データを、広告部分用配信履歴データとして抽出して前記広告部分の提供元のユーザに対して出力すること、
を備えたことを特徴とするコンテンツ配信履歴記録装置。
【請求項９】
請求の範囲第１項、第３項、第４項のいずれかに記載のコンテンツ配信装置によって配信されたコンテンツを受信する端末装置。
【請求項１０】
コンテンツ部分と広告部分とを含むデータによって構成されたコンテンツを示すデータであって、
前記コンテンツ部分に関する情報を示すコンテンツ部分指示情報を記録するコンテンツ部分指示情報記録部、
前記広告部分に関する情報を示す広告部分指示情報を記録する広告部分指示情報記録部、
前記コンテンツ部分指示情報記録部および前記広告部分指示情報記録部と対応づけて、前記コンテンツを指示するコンテンツ指示情報を記録するコンテンツ指示情報記録部、
を備えたことを特徴とするデータ。
【請求項１１】
コンピュータを利用することにより、コンテンツを配信するコンテンツ配信方法であって、
前記コンテンツを、コンテンツ部分と広告部分とを含むデータによって構成し、
前記コンテンツ部分に関する情報を示すコンテンツ部分指示情報および前記広告部分に関する情報を示す広告部分指示情報と対応づけて、前記コンテンツを記録し、
前記コンテンツを配信する際に、前記コンテンツ部分指示情報および前記広告部分指示情報と対応づけて、その配信履歴に関する配信履歴データを記録すること、
を特徴とするコンテンツ配信方法。
【請求項１２】
コンピュータを利用することにより、コンテンツの配信履歴データを出力するコンテンツ配信履歴データ出力方法であって、
前記コンテンツを、コンテンツ部分と広告部分とを含むデータによって構成し、
前記コンテンツを配信する際に、前記コンテンツ部分に関する情報を示すコンテンツ部分指示情報および前記広告部分に関する情報を示す広告部分指示情報と対応づけて、その配信履歴に関する配信履歴データを記録し、
前記コンテンツ部分の提供元のユーザが、前記配信履歴データの取得を要求した場合には、前記コンテンツ部分指示情報と対応づけて記録されている前記配信履歴データを、コンテンツ部分用配信履歴データとして抽出して前記コンテンツ部分の提供元のユーザに対して出力し、
前記広告部分の提供元のユーザが、前記配信履歴記録手段に記録された配信履歴データの取得を要求した場合には、前記広告部分指示情報と対応づけて記録されている前記配信履歴データを、広告部分用配信履歴データとして抽出して前記広告部分の提供元のユーザに対して出力すること、
を特徴とするコンテンツ配信履歴データ出力方法。
【請求項１３】
宣伝広告機能が付加されたコンテンツを作成するコンテンツ作成方法であって、
前記コンテンツは、
アーティストのプロモーション映像とされており、
前記プロモーション映像に対し、商品またはサービスに関する広告映像を含めることによって前記コンテンツを作成すること、
を特徴とするコンテンツ作成方法。
【請求項１４】
プロダクトプレースメントによって作成されたコンテンツに関する報酬分配方法であって、
前記コンテンツは、
アーティストのプロモーション映像と、当該プロモーション映像に対し商品またはサービスに関する広告映像を含めることによって作成されており、
前記コンテンツに関する報酬分配方法は、
前記コンテンツの視聴ログを取得し、
前記視聴ログに基づいて、前記広告映像の提供元が前記プロモーション映像の提供元に対して視聴報酬を支払うこと、
を含む報酬分配方法。
【発明の詳細な説明】
関連出願の参照
日本国特許出願２００２−００７０１６（平成１４年１月１６日出願）の明細書、請求の範囲、図面および要約書を含む全開示内容は、これら全開示内容を参照することによって本出願に合体される。
技術分野
この発明は、ネットワークを介して、広告要素を含んだコンテンツを配信するコンテンツ配信装置およびコンテンツ作成方法に関するものである。
さらに、この発明は、２つ以上の異なるパラメータによって定義されるデータの配信ログを、各パラメータを基準とした個別の配信ログとして取得する技術を含む。より具体的には、異なるパラメータによって定義されるデータに対して、それらのパラメータを含めた情報をヘッダ情報として記録しておく。そして、データの配信が行われる毎に、各パラメータを基準とした個別の配信ログを、そのヘッダ情報を利用して効果的に記録する技術を含む。
背景技術
インターネットや番組放送で発信されるコンテンツは、そのコンテンツの発信者のメッセージを伝える手段の一つである。そのため、そのようなコンテンツが備えるメッセージ伝達手段を利用することによって商品等の宣伝広告活動を行う目的で、広告主がコンテンツ制作資金を提供することが通常行われている。
近年、テレビ番組のほか、インターネットによるコンテンツ配信、蓄積型放送の導入により多チャンネルの時代に移行しつつある。そして、多チャンネルであるために、視聴者がコンテンツに接触する時間が相対的に減少することが予想される。したがって、コンテンツ製作者は、より質の高いコンテンツを制作する必要性が生じてくる一方で、広告主の側からしても、多数あるコンテンツの中から、より効果的に自社の商品またはサービスの宣伝を行うことが可能なコンテンツを選択する必要性が生じるものと思われる。また、そのような必要性に対応するために、コンテンツの配信を効果的に管理するＷｅｂ技術の開発が望まれている。
発明の開示
この発明は、上記のようなコンテンツ製作者、コンテンツ制作のスポンサーとなる広告主の必要性に鑑みて、より宣伝広告機能の高いコンテンツの作成方法および、そのようなコンテンツの配信に好適なコンテンツ配信装置を提供することを目的とする。
さらに、この発明は、２つ以上の異なるパラメータによって定義されるデータの配信ログを、各パラメータを基準とした個別の配信ログとして取得する技術を含む。より具体的には、異なるパラメータによって定義されるデータに対して、それらのパラメータを含めた情報をヘッダ情報として記録しておく。そして、データの配信が行われる毎に、各パラメータを基準とした個別の配信ログを、そのヘッダ情報を利用して効果的に記録する技術を含む。
１）本発明のコンテンツ配信装置は、
ネットワークを通じてコンテンツを配信するコンテンツ配信装置であって、
前記コンテンツは、
コンテンツ部分と広告部分とを含むデータによって構成されており、
前記コンテンツ配信装置は、
前記コンテンツ部分に関する情報を示すコンテンツ部分指示情報および前記広告部分に関する情報を示す広告部分指示情報と対応づけて、前記コンテンツを記録するコンテンツ記録手段、
前記コンテンツを配信するコンテンツ配信手段、
を備えたことを特徴とする。
これにより、前記コンテンツの配信を受けるユーザは、自己の興味のあるコンテンツ部分を視聴しつつ、前記広告部分を充分認識することになる。したがって、前記コンテンツは、高い宣伝広告機能を有することとなり、前記広告部分の広告対象についての販売促進効果が向上することとなる。
３）本発明の前記コンテンツ配信装置は、さらに、
前記コンテンツ配信手段が前記コンテンツを配信する際に、前記コンテンツ部分指示情報および前記広告部分指示情報と対応づけて、その配信履歴に関する配信履歴データを記録する配信履歴データ記録手段、
を備えたことを特徴としている。
これにより、複数の前記コンテンツが配信される場合であっても、あるコンテンツ部分を含むコンテンツの配信履歴の結果はどうであるか、あるいは、ある広告部分を含むコンテンツの配信履歴の結果はどうであるか、という別々の基準に基づいて前記配信履歴を取得することができる。したがって、前記コンテンツ部分の制作者、および前記広告部分の制作者は、それぞれ、前記配信履歴データの中から自分に必要なデータを簡易に取得することができる。
５）本発明のコンテンツ配信履歴記録装置は、
ネットワークを通じて配信されるコンテンツの配信の履歴を記録するコンテンツ配信履歴記録装置であって、
前記コンテンツは、
コンテンツ部分と広告部分とを含むデータによって構成され、さらに、前記コンテンツ部分に関する情報を示すコンテンツ部分指示情報および前記広告部分に関する情報を示す広告部分指示情報と対応づけて記録されており、
前記コンテンツ配信履歴記録装置は、
前記コンテンツが配信されると、前記コンテンツ部分指示情報および前記広告部分指示情報と対応づけて、その配信履歴に関する配信履歴データを記録する配信履歴データ記録手段、
を備えたことを特徴としている。
これにより、複数の前記コンテンツが配信される場合であっても、あるコンテンツ部分を含むコンテンツの配信履歴の結果はどうであるか、あるいは、ある広告部分を含むコンテンツの配信履歴の結果はどうであるか、という別々の基準に基づいて前記配信履歴を取得することができる。したがって、前記コンテンツ部分の制作者、および前記広告部分の制作者は、それぞれ、前記配信履歴データの中から自分に必要なデータを簡易に取得することができる。
７）本発明の前記コンテンツ配信履歴記録装置は、さらに、
前記コンテンツ部分の提供元のユーザが、前記配信履歴データ記録手段に記録された配信履歴データの取得を要求した場合には、前記コンテンツ部分指示情報と対応づけて記録されている前記配信履歴データを、コンテンツ部分用配信履歴データとして抽出して前記コンテンツ部分の提供元のユーザに対して出力するコンテンツ部分用配信履歴データ抽出出力手段、
前記広告部分の提供元のユーザが、前記配信履歴データ記録手段に記録された配信履歴データの取得を要求した場合には、前記広告部分指示情報と対応づけて記録されている前記配信履歴データを、広告部分用配信履歴データとして抽出して前記広告部分の提供元のユーザに対して出力する広告部分用配信履歴データ抽出出力手段、
を備えたことを特徴としている。
これにより、前記コンテンツ部分の提供元のユーザ、および前記広告部分の提供元のユーザのそれぞれは、必要な配信データのみを簡易に取得することができる。この効果を逆にみると、前記コンテンツ配信装置は、不必要な配信履歴データをそれらのユーザに送信しないという効果がある。したがって、前記コンテンツ部分の提供元および前記広告部分の提供元が複数存在する場合にも、各提供元の配信履歴データに関する営業秘密を確実に保護することができる。
このように、ユーザ毎に前記配信履歴データのアクセス制限をすることができるのは、前記コンテンツを、そのコンテンツの構成要素を示す前記コンテンツ部分指示情報および広告部分指示情報という２種類のＩＤによって特定する、という前記コンテンツ記録手段の構成によるものである。
９）本発明の端末装置は、
前記コンテンツ配信装置によって配信されたコンテンツを受信することを特徴としている。
１３）宣伝広告機能が付加されたコンテンツを作成するコンテンツ作成方法であって、
前記コンテンツは、
アーティストのプロモーション映像とされており、
前記プロモーション映像に対し、商品またはサービスに関する広告映像を含めることによって前記コンテンツを作成すること、
を特徴としている。
ここで、前記プロモーション映像は、出演するアーティスト等に興味がある視聴者によって視聴選択される傾向が強いため、その視聴者は、その映像に含まれる前記広告映像に対しても充分な興味を抱く可能性が高い。したがって、本発明の前記コンテンツ作成方法により、視聴者が前記広告映像を認識する可能性が高まることによって広告対象の宣伝広告効果を高めることができる。
１４）プロダクトプレースメントによって作成されたコンテンツに関する報酬分配方法であって、
前記コンテンツは、
アーティストのプロモーション映像と、当該プロモーション映像に対し商品またはサービスに関する広告映像を含めることによって作成されており、
前記コンテンツに関する報酬分配方法は、
前記コンテンツの視聴ログを取得し、
前記視聴ログに基づいて、前記広告映像の提供元が前記プロモーション映像の提供元に対して視聴報酬を支払うこと、
を特徴としている。
これにより、プロダクトプレースメント（広告対象商品等を映画やＴＶに登場させる広告手法）における前記広告映像の提供元は、前記視聴ログに基づいて算出される視聴報酬を前記プロモーション映像の提供元に支払うのであるから、実績・成果に対応した明確な取引きを行うことができる。
用語の定義について説明する。
この発明において、
この発明において、「コンテンツ」とは、静止画、または動画等の映像情報、または音声情報、または映像情報と音声情報との結合情報等の内容であって、テレビ放送、またはデジタル放送、または蓄積型放送、またはインターネットによる配信（ＡＤＳＬやケーブルＴＶによるインターネット接続の利用を含む）等の手段によって所定の単位で提供されるものを含む概念である。例えば、ｃｏｍｍｅｒｃｉａｌ  ｍｅｓｓａｇｅ（ＣＭ）、または広告、または映画、またはショートムービー、またはドラマ、またはプロモーションビデオ、または演劇やスポーツなどのライブ中継またはビデオ録画中継、または学習講座の放送など、デジタル技術などを利用して提供される情報が、この「コンテンツ」の概念に含まれる。
本発明の特徴は、上記のように広く示すことができるが、その構成や内容は、それらの特徴および効果とともに図面を考慮に入れた上で、以下の開示によりさらに明らかになるであろう。
発明を実施するための最良の形態
本発明に係るコンテンツ配信装置の実施形態を説明する。実施形態では、コンテンツとしてプロモーションビデオ（以下、ＰＶとする）を例示して説明する。
ＰＶは、一般的には、アーティストが視聴者に楽曲を宣伝するために制作されるものである。また、実施形態におけるＰＶは、プロモーションビデオ映像中に広告映像を含むことを特徴としている。そのようなＰＶの具体例として、例えば、そのプロモーションビデオに出演するアーティストが、楽曲演奏中に広告対象となる飲料水を飲む映像が含まれたプロモーションビデオ映像を挙げることができる。このようなコンテンツにより、広告対象の宣伝広告効果が著しく高まることが予想される。なぜならば、ＰＶは、特定のアーティストに興味があるユーザによって視聴選択される傾向が強いため、そのユーザは、ＰＶの映像中に現れる広告対象の商品またはサービスに関心を持つ可能性が高まることが予想されるからである。したがって、本実施形態では、より宣伝広告効果の高いコンテンツの制作手法を提供することを一つの目的としている。以下、実施形態で説明するコンテンツを、ＰＶａｄ（ｐｒｏｍｏｔｉｏｎ  ｖｉｄｅｏ／ａｄｖｅｒｔｉｓｅｍｅｎｔの略称）として説明する。さらに、本実施形態では、そのようなコンテンツの配信を効果的に管理するＷｅｂ技術を提供することを一つの目的としている。
本実施形態は、コンテンツ配信装置としてのＰＶａｄサービスサーバが、ユーザＰＣに対してＰＶａｄの配信サービスを行うＰＶａｄサービスシステムを説明するものである。このシステムにおけるＰＶａｄという従来にない新しいコンテンツによって、広告対象としている商品またはサービスの宣伝広告効果を高めることができる。
以下、まず始めに、ＰＶａｄサービスシステムのシステム概要、装置等の構成、特許請求の範囲に記載した用語と実施形態との対応を説明し、次に、本実施形態による処理内容等の説明を行う。
目次
１．システム概要
２．装置等の構成
３．特許請求の範囲に記載した用語と実施形態との対応
４．システムの処理内容
４−１．ＰＶａｄ配信サービス
４−２．ＰＶａｄ視聴データサービス
５．実施形態による効果
６．本発明のその他の実施形態
−−−−−−−−−−−−−−
−−１．システム概要−−
図１３は、ＰＶａｄサービスシステム８の構成である。ＰＶａｄサービスシステム８は、ユーザが使用するユーザＰＣ（パーソナルコンピュータ）１００、レコード会社が使用するレコード会社ＰＣ５００、広告主が使用する広告主ＰＣ６００、ＰＶａｄサービスを行う事業主が管理するＰＶａｄサービスサーバ２００で構成される。ユーザＰＣ１００、レコード会社ＰＣ５００、広告主ＰＣ６００、ＰＶａｄサービスサーバ２００のそれぞれは、インターネット２を介して互いに接続可能である。ＰＶａｄサービスサーバ２００は、ＰＶａｄデータベース（以下、「ＤＢ」とする）３００、ＰＶａｄ視聴カウンタＤＢ４００にアクセス可能である。なお、ＰＶａｄサービスサーバ２００は、インターネットサイト（ポータルサイト等）に置いてＰＶａｄ配信サービス等を行うこととすればいよい。
ＰＶａｄＤＢ３００は、ＰＶａｄデータ及びそのＰＶａｄの内容に関する情報を記録するためのものである。ＰＶａｄ視聴カウンタＤＢ４００は、ユーザに配信したＰＶａｄの視聴ログ（配信ログ）を記録するためのものである。
なお、ＰＶａｄＤＢ３００、ＰＶａｄ視聴カウンタＤＢ４００のそれぞれは、ＰＶａｄサービスサーバ２００のハードディスクに直接記録するようにしてもよいし、あるいは、ＰＶａｄサービスサーバ２００とは別のサーバに記録するようにしてもよい。
−−２．装置等の構成−−
図２は、ＣＰＵを用いて実現したユーザＰＣ１００のハードウェア構成の一例である。ユーザＰＣ１００は、ＣＰＵ１０、スピーカ１１、ディスプレイ１２、ハードディスク１４、メモリ１６、キーボード１８、インターネット２に接続するための通信回路１９を備えている。ＣＰＵ１０は、ユーザＰＣ１００全体を制御する。メモリ１６は、ＣＰＵ１０のワーク領域等を提供する。ハードディスク１４は、ＣＰＵ１０を動作させるためのプログラムや、ウェブを閲覧するためのブラウザプログラムを記録する。キーボード１８の操作により生成される操作情報は、ＣＰＵ１０に入力され、ＣＰＵ１０が生成した画像情報および音声情報は、ディスプレイ１２、スピーカ１１にそれぞれ出力される。
図３は、ＣＰＵを用いて実現した広告主ＰＣ６００のハードウェア構成の一例である。広告主ＰＣ６００は、ＣＰＵ６０、スピーカ６１、ディスプレイ６２、ハードディスク６４、メモリ６６、キーボード６８、インターネット２に接続するための通信回路６９を備えている。それぞれのハードウェアの機能は、上記したユーザＰＣ１００の各ハードウェアと同様である。なお、レコード会社ＰＣ５００のハードウェア構成も、広告主ＰＣ６００と同様である。
図４は、ＣＰＵを用いて実現したＰＶａｄサービスサーバ２００のハードウェア構成の一例である。ＰＶａｄサービスサーバ２００は、ＣＰＵ２０、ハードディスク２４、メモリ２２、インターネット２に接続するための通信回路２６を備えている。ハードディスク２４は、ＰＶａｄサービスプログラムを記録する。
本実施形態では、ユーザＰＣ１００、広告主ＰＣ６００、ＰＶａｄサービスサーバ２００のそれぞれのオペレーティングシステム（ＯＳ）の例として、マイクロソフト社のＷｉｎｄｏｗｓ（登録商標）ＸＰ、ＮＴ、２０００等を用いることとする。本実施形態のプログラムは、ＯＳと共働して各機能を実現しているが、これに限らず、プログラム単独で各機能を実現するようにしてもよい。
図５は、ＰＶａｄＤＢ３００の構成の一例である。ＰＶａｄＤＢ３００には、ＰＶａｄに関連する情報である“アーティスト名”、“曲名”及び、広告主がＰＶａｄに含める商品名やサービス名等を特定する“ａｄアイテム名”と、ＰＶａｄの内容を記録した“ＰＶａｄデータ”が記録される。また、ＰＶａｄＤＢ３００には、ヘッダ情報（コメント）として、Ｗｅｂ上でＰＶａｄデータ（ＭＰＧ形式など）を特定するＵＲＬ（Ｕｎｉｆｏｒｍ  Ｒｅｓｏｕｒｃｅ  Ｌｏｃａｔｏｒ）、ＰＶａｄを特定する識別子としての“ＰＶａｄ−ＩＤ”、アーティスト名および曲名を特定する識別子としての“ＰＶ−ＩＤ”、広告主およびａｄアイテム名を特定する識別子としての“ａｄ−ＩＤ”が記録される。
具体的には、ＰＶ−ＩＤの親番号（データ３０１では「ｋｋｗ」）がアーティストを特定する識別子（コンテンツ部分提供元指示情報）であり、子番号（データ３０１では「０５」）が曲を特定する識別子である。一方、ａｄ−ＩＤの親番号（データ３０１では「ＣＣ］）が広告主を特定する識別子（広告部分提供元指示情報）であり、子番号（データ３０１では「ＪＰ」）がａｄアイテムを特定する識別子である。
このようなＰＶａｄＤＢ３００により、ＰＶａｄは、ＰＶａｄ−ＩＤによる特定だけではなく、ＰＶ−ＩＤ、あるいは、ａｄ−ＩＤという、ＰＶａｄを構成する異なった要素によって独立に特定されることを特徴としている。ＰＶａｄＤＢ３００には、ＰＶａｄ毎に、上記のようなデータ３０１、３０２、３０３等が設けられている。
なお、ＰＶａｄＤＢ３００のデータ構成は上記のようなものに限らず、その他の構成を採用してもよい。例えば、ＰＶａｄを特定する上記ヘッダ情報に対応するデータ（ＰＶａｄ−ＩＤなど）のみをテーブルデータとして設け、ＰＶａｄデータのみを別のデータベースに記録する。この場合、テーブルデータの各情報は、リンク情報によってＰＶａｄデータと関連づけておくようにすればよい。
図６は、ＰＶａｄ視聴カウンタＤＢ４００の構成の一例である。ＰＶａｄ視聴カウンタＤＢ４００には、ＰＶａｄを特定する識別子としての“ＰＶａｄ−ＩＤ”、アーティスト名および曲名を特定する識別子としての“ＰＶ−ＩＤ”、広告主およびａｄアイテム名を特定する識別子としての“ａｄ−ＩＤ”、ＰＶａｄを配信したユーザを特定する“アドレス”、そのユーザからの“アクセス日時”が記録される。各ＩＤの親番号と子番号との関係は、図５と同様である。ＰＶａｄ視聴カウンタＤＢ４００には、ＰＶａｄ毎に、上記のようなデータ４０１、４０２、４０３等が設けられている。
−−３．特許請求の範囲に記載した用語と実施形態との対応−−
特許請求の範囲に記載した用語と実施形態との対応は、以下のとおりである。  「コンテンツ」は、ＰＶａｄサービスサーバ２００がユーザＰＣに対して配信するＰＶａｄに対応する。「コンテンツ部分」は、ＰＶａｄにおけるプロモーションビデオ映像に対応し、「広告部分」は、ＰＶａｄにおける広告映像に対応する。「コンテンツ配信装置」は、図１３のＰＶａｄサービスサーバ２００に対応する。「ネットワーク」は、図１３のインターネット２に対応する。
「コンテンツ部分指示情報」は、図５のＰＶａｄＤＢ３００に記録されるＰＶ−ＩＤに対応し、「広告部分指示情報」は、図５のＰＶａｄＤＢ３００に記録されるａｄ−ＩＤに対応する。「コンテンツ記録手段」は、ＰＶａｄをＰＶａｄＤＢ３００に記録する処理を行うＰＶａｄサービスサーバ２００のＣＰＵ２０に対応する。「コンテンツ配信手段」は、ＰＶａｄを送信する処理（図７ステップＳ７５６参照）を行うＣＰＵ２０に対応する。
「配信履歴データ記録手段」は、ＰＶａｄの視聴ログをＰＶａｄ視聴カウンタＤＢ４００に記録する処理（図７ステップＳ７５８）を行うＣＰＵ２０に対応し、「配信履歴データ」は、図７ステップＳ７５８でＣＰＵ２０がＰＶａｄ視聴カウンタＤＢ４００に記録するデータに対応する。
「コンテンツ部分用配信履歴データ抽出出力手段」は、レコード会社ＰＣ５００用に視聴データをカスタマイズして送信する処理を行うＣＰＵ２０に対応し、「コンテンツ部分用配信履歴データ」は、図１２に示すレコード会社用視聴データに対応する。「広告部分用配信履歴データ抽出出力手段」は、広告主ＰＣ６００用に視聴データをカスタマイズして送信する処理（図９ステップＳ９５４、Ｓ９５６参照）を行うＣＰＵ２０に対応し、「コンテンツ部分用配信履歴データ」は、図１１に示す広告主用視聴データに対応する。
「コンテンツ部分指示情報記録部」は、図５に示すＰＶａｄＤＢ３００におけるＰＶ−ＩＤを記録するカラムに対応し、「広告部分指示情報記録部」は、ＰＶａｄＤＢ３００におけるａｄ−ＩＤを記録するカラムに対応し、「コンテンツ指示情報記録部」は、ＰＶａｄＤＢ３００におけるＰＶａｄ−ＩＤを記録するカラムに対応する。
「端末装置」は、ユーザＰＣ１００に対応する。
−−４．システムの処理内容−−
本システムのＰＶａｄサービスの概要を、図１を参照しながら説明する。
ユーザＰＣ１００は、ユーザの操作に応じてＰＶａｄサービスサーバ２００にアクセスし、ＰＶａｄの配信を要求する（１）。ＰＶａｄサービスサーバ２００は、要求されたＰＶａｄをユーザＰＣ１００に配信する（２）。ＰＶａｄは、プロモーションビデオ映像に含まれるアーティストおよび楽曲を特定するＰＶ−ＩＤと、プロモーションビデオ映像に含まれる広告対象である商品またはサービスを特定するａｄ−ＩＤとに対応づけて記録されている。ＰＶａｄサービスサーバ２００は、その配信ログをＰＶａｄ視聴カウンタＤＢ４００に記録する（３）。配信ログとして、ＰＶａｄ毎にアクセス日時等が記録される。以上までの処理が、後述するＰＶａｄ配信サービスの概要である。
次に、ＰＶａｄ視聴データサービスの処理の概要を説明する。この視聴データサービスは、広告主やレコード会社が、制作したＰＶａｄの視聴数に関するデータを知ることができるようにするためのものである。広告主ＰＣ６００は、操作者の操作に応じてＰＶａｄサービスサーバ２００にアクセスし、視聴データを要求する（４）。ＰＶａｄサービスサーバ２００は、ＰＶａｄ視聴カウンタＤＢ４００に記録されたデータから、ａｄ−ＩＤに基づいて視聴ログを抽出する（５）。すなわち、この処理により、アクセスのあった広告主に関連する視聴ログのみが選択的に抽出されることになる。次に、ＰＶａｄサービスサーバ２００は、その抽出した視聴ログを広告主視聴データとして広告主ＰＣ６００に送信する（６）。
このように、本システムでは、宣伝広告効果の高いＰＶａｄをユーザに配信するとともに、そのＰＶａｄの制作にかかわったレコード会社および広告主が、そのＰＶａｄの視聴データを取得することができる。
以下、上述した処理の詳細を、ＰＶａｄ配信サービス、ＰＶａｄ視聴データサービスの各段階に分けて説明する。
４−１．ＰＶａｄ配信サービス
ＰＶａｄ配信サービスは、ＰＶａｄサービスサーバ２００が、ユーザによって操作されるユーザＰＣ１００からの要求に応じてＰＶａｄを配信することを内容とするものである。以下、このＰＶａｄ配信サービスの処理内容を図７のフローチャートにしたがって説明する。
ユーザＰＣ１００のＣＰＵ１０は、ＰＶａｄサービスサーバにアクセスした後、ユーザの操作に応じてＰＶａｄサービスサーバ２００にメインメニュー要求を送信する（図７ステップＳ７０１）。ＰＶａｄサービスサーバ２００のＣＰＵ２０は、ユーザＰＣ１００からメインメニュー要求があるか否かを判断し（ステップＳ７５０）、要求があると判断すれば、メインメニュー画面データを送信する（ステップＳ７５２）。ユーザＰＣ１００のＣＰＵ１０は、メインメニュー画面データを受信したか否かを判断し（ステップＳ７０３）、受信したと判断すればそのメインメニュー画面データに基づいてメインメニューをディスプレイ１２に表示する（ステップＳ７０５）。図８Ａは、メインメニュー画面例を示す。図８Ａに示すように、メインメニューには、アーティスト名、曲名によって特定されるＰＶａｄリスト等が表示される。
ユーザＰＣ１００のＣＰＵ１０は、ユーザの操作によってＰＶａｄ視聴要求が選択したか否かを判断する（ステップＳ７０７）。このＰＶａｄ視聴要求は、図８Ａのメインメニュー中の”ＰＬＡＹ”ボタンをクリックすることによって行われる。具体的には、ＣＰＵ１０は、クリック動作を介してＰＶａｄデータのＵＲＬ（図５参照）へのリンクを行う。ＣＰＵ１０は、ＰＶａｄ視聴要求が選択されたと判断すれば、その視聴要求データをＰＶａｄサービスサーバ２００に送信する（ステップＳ７０９）。視聴要求データは、図５に示すＰＶａｄＤＢ３００におけるＰＶａｄを特定するデータであり、具体的には、ＰＶａｄデータのＵＲＬを含むデータである。ＰＶａｄサービスサーバ２００のＣＰＵ２０は、ユーザＰＣ１００から視聴要求データを受信したか否かを判断し（ステップＳ７５４）、受信したと判断すれば、その視聴要求データに基づいて、ユーザによって選択されたＰＶａｄデータをユーザＰＣ１００に送信する（ステップＳ７５６）。
ユーザＰＣ１００のＣＰＵ１０は、ＰＶａｄサービスサーバ２００からＰＶａｄデータを受信したか否かを判断し（ステップＳ７１１）、受信したと判断すれば、そのＰＶａｄデータに基づいてＰＶａｄを再生し（ステップＳ７１３）、再生終了後に処理を終了する。図８Ｂは、選択されたＰＶａｄを再生中の画面例である。ＰＶａｄサービスサーバ２００のＣＰＵ２０は、ステップＳ７５６の処理の後、送信したＰＶａｄデータに基づいて、視聴ログをＰＶａｄ視聴カウンタＤＢ４００に記録して（ステップＳ７５８）、処理を終了する。
図６は、ＰＶａｄ視聴カウンタＤＢ４００の構成例を示す。図に示すように、ＰＶａｄ視聴カウンタＤＢ４００には、ＰＶａｄ毎に、ＰＶａｄを特定するＰＶａｄ−ＩＤ、アーティストおよび楽曲を特定するＰＶ−ＩＤ、広告対象を特定するａｄ−ＩＤがあらかじめ記録されている。そして、ＣＰＵ２０は、ステップＳ７５６におけるＰＶａｄデータの送信がある度に、視聴ログとして、ＰＶａｄデータの送信先となったユーザＰＣ１００のアドレスとユーザＰＣ１００からのアクセス日時とをＰＶａｄ視聴カウンタＤＢ４００に記録する。
４−２．ＰＶａｄ視聴データサービス
以上の処理により、ＰＶａｄ配信サービスが継続して行われると、ＰＶａｄ視聴カウンタＤＢ４００には複数の視聴ログが記録される。ＰＶａｄ視聴データサービスは、クライアントの要求に応じてＰＶａｄサービスサーバ２００がその視聴ログを公開するサービスである。以下、このＰＶａｄ視聴データサービスの処理内容を図９のフローチャートにしたがって説明する。なお、図９のフローチャートは、クライアントとして広告主ＰＣ６００を例示して説明するが、後述する視聴データの内容を除き、クライアントがレコード会社ＰＣ５００の場合であっても処理内容は同様である。
広告主ＰＣ６００のＣＰＵ６０は、ＰＶａｄサービスサーバ２００にアクセスしてディスプレイ６２にメインメニュー（図８Ａ参照）を表示する（ステップＳ９０１）。ＣＰＵ６０は、操作者（例えば、広告制作責任者等）から視聴データの要求が選択されたか否かを判断する（ステップＳ９０３）。この視聴データ要求は、図８Ａに示すメインメニュー中の”視聴データ”ボタンをクリックすることによって行われる。ＣＰＵ６０は、ステップＳ９０３で視聴データ要求が選択されたと判断すれば、視聴データ要求情報をＰＶａｄサービスサーバ２００に送信する（ステップＳ９０５）。ＰＶａｄサービスサーバ２００のＣＰＵ２０は、その視聴データ要求情報を受信して、ＩＤ／パスワード要求情報を送信する（ステップＳ９５０）。
広告主ＰＣ６００のＣＰＵ６０は、そのＩＤ／パスワード要求情報を受信して、その情報に基づいてＩＤ／パスワード入力画面をディスプレイ６２に表示する（ステップＳ９０７）。図１０Ａは、ＩＤ／パスワード入力画面を示す。ＣＰＵ６０は、操作者の操作によってＩＤ／パスワードが入力されたか否かを判断し（ステップＳ９０８）、入力されたと判断すれば、そのＩＤ／パスワードデータをＰＶａｄサービスサーバ２００に送信する（ステップＳ９０９）。ＰＶａｄサービスサーバ２００のＣＰＵ２０は、そのＩＤ／パスワードを受信して、クライアント認証がされるか否かを判断する（ステップＳ９５２）。このクライアント認証は、あらかじめＰＶａｄサービスサーバ２００のハードディスク２４に記録された広告主ＰＣ６００毎のＩＤ／パスワードと、送信されたＩＤ／パスワードとが合致するか否かを判断するようにすればよい。
ＰＶａｄサービスサーバ２００のＣＰＵ２０は、クライアント認証がされたと判断すれば、認証確認およびａｄアイテム名要求情報を広告主ＰＣ６００に送信する（ステップＳ９５３）。広告主ＰＣ６００のＣＰＵ６０は、その情報を受信して、ａｄアイテム名入力画面をディスプレイ６２に表示する（ステップＳ９１０）。図１０Ｂは、ａｄアイテム名入力画面の表示例である。
ＣＰＵ６０は、ユーザによってａｄアイテム名の入力がされたか否かを判断し（ステップＳ９１１）、入力されたと判断した場合には、ａｄアイテム名をＰＶａｄサービスサーバ２００に対して送信する（ステップＳ９１２）。ＣＰＵ６０によるａｄアイテム名の入力の有無の判断は、ユーザによって、図１０Ｂに示す”送信”ボタンのクリックがされたか否かに基づいて判断すればよい。
ＰＶａｄサービスサーバ２００のＣＰＵ２０は、ａｄアイテム名を受信して、視聴データを要求している広告主ＰＣ６００用に視聴データをカスタマイズし（ステップＳ９５４）、そのカスタマイズした視聴データを広告主ＰＣ６００に送信して処理を終了する（ステップＳ９５６）。広告主ＰＣ６００のＣＰＵ６０は、受信した視聴データをディスプレイ６２に表示して処理を終了する（ステップＳ９１３）。なお、ＣＰＵ２０は、ステップＳ９５２においてクライアント認証がされなかった場合には、所定回数のＩＤ／パスワードデータの送信を限度として、クライアント認証がされない旨のエラーメッセージを送信するようにしてもよい。
図１１に示す視聴データを広告主ＰＣ６００用にカスタマイズする処理（ステップＳ９５４）は、ＣＰＵ２０が、図６に示すＰＶａｄ視聴カウンタＤＢ４００を参照して特定のａｄアイテム名（またはａｄ−ＩＤ）を有するデータを抽出し、それらのデータに記録されたアクセス日時およびそのカウント数に基づいて集計処理を行うようにすればよい。
具体的には、ＣＰＵ２０は、図９ステップＳ９１２の処理によって送信されるａｄアイテム名を受信し、ＰＶａｄ視聴カウンタＤＢ４００を検索して、そのａｄアイテム名（例えば、「ドリンクＺ」）を記録したデータ（図６では、データ４０１）を抽出する。そして、ＣＰＵ２０は、そのデータ４０１に記録されたアクセス日時およびその回数（カウント数）を算出し、広告主ＰＣ６００によって要求された視聴データを取得する。
図１１は、広告主ＰＣ６００のためにカスタマイズされた視聴データの画面例である。図１１Ａは、広告主ＰＣ６００を操作する広告主が、ある商品広告を提供しているＰＶａｄについての視聴データである。ここでは、この広告主は、アーティスト名”ＡＢＣバンド”の”ＬｏｖｅＰｏｐｓ”という曲のＰＶに、ａｄアイテム名”ドリンクＺ”の広告を提供している。そして、広告主ＰＣ６００は、図１１Ａに示すように、そのＰＶａｄに関する視聴数を確認することができる。図１１Ｂは、図１１Ａに示す画面中の”時間帯別アクセス”ボタンをクリックすることによって表示される、図１１Ａの視聴数を時間帯別に分けて集計した視聴データの画面である。また、図１１Ｃは、広告主がａｄアイテム名”ドリンクＺ”の提供を、複数のＰＶに対して行っている場合の視聴データの画面例である。
ここで、ａｄアイテムが複数のＰＶに提供されている場合とは、具体的には、ＰＶａｄＤＢ３００に同一のａｄ−ＩＤで特定されるＰＶａｄが複数記録されている状態をいう。このような状態が生ずるのは、実施形態におけるＰＶａｄは、アーティストの楽曲のプロモーション映像と、広告映像との組合せによって制作されるものであるからである。したがって、上記したような同一のａｄ−ＩＤに対して複数のＰＶ−ＩＤが対応づけられる場合の他に、同一のＰＶ−ＩＤに対して複数のａｄ−ＩＤが対応づけられる場合、すなわち、あるアーティストの楽曲のプロモーション映像に対して、広告対象が異なる複数のＰＶａｄのバリエーションが制作される場合もありうる（例えば、同一のＰＶ−ＩＤを有する図６のデータ４０１およびデータ４０３参照）。さらに、１のプロモーション映像に対して１の広告対象を含める場合だけでなく、１のプロモーション映像に対して複数の広告対象を含めてＰＶａｄを制作するようにしてもよい。
図１２は、レコード会社ＰＣ５００のためにカスタマイズされた視聴データの画面例である。レコード会社ＰＣ５００の場合も、ＰＶａｄサービスサーバ２００は、図９に示すＰＶａｄ視聴データサービスの処理と同様の処理を行う。ここでは、このレコード会社は、アーティスト名”ＡＢＣバンド”の”ＬｏｖｅＰｏｐｓ”という曲のＰＶａｄについての視聴数を確認することができる。なお、この場合の、視聴データをレコード会社ＰＣ５００用にカスタマイズする処理は、ＣＰＵ２０が、図６に示すＰＶａｄ視聴カウンタＤＢ４００を参照して特定の曲名（またはアーティスト名、またはＰＶ−ＩＤ）を有するデータを抽出し、それらのデータに記録されたアクセス日時およびそのカウント数に基づいて集計処理を行うようにすればよい。
具体的には、図９ステップＳ９１２の処理によって、レコード会社ＰＣ５００のＣＰＵは、（ａｄアイテム名に替えて）「曲名」を送信するようにする。そして、ＰＶａｄサービスサーバ２００のＣＰＵ２０は、ＰＶａｄ視聴カウンタＤＢ４００を検索して、その曲名（例えば、「ＬＯＶＥ  ＰＯＰＳ」）を記録したデータ（図６では、データ４０１およびデータ４０３）を抽出する。ＣＰＵ２０は、そのデータ４０１に記録されたアクセス日時およびその回数（カウント数）を算出し、レコード会社ＰＣ５００によって要求された視聴データを取得する。
上記実施形態のカスタマイズ処理（図９ステップＳ９５４）は、ａｄアイテム名または曲名を基準にした視聴データを取得することとしているが、これに限られるものではない。その他の実施形態として、広告主またはアーティスト名を基準にした視聴データを取得するようにしてもよい。具体的には、広告主ＰＣ６００は、図９ステップＳ９１２の処理において、（ａｄアイテム名に替えて）ａｄ−ＩＤの親番号（すなわち広告主を特定する識別子）を送信するようにする。そして、ＰＶａｄサービスサーバ２００のＣＰＵ２０は、ＰＶａｄ視聴カウンタＤＢ４００を検索して、そのａｄ−ＩＤの親番号（例えば、「ＣＣ」）を記録したデータ（図６では、データ４０１およびデータ４０２）を抽出する。ＣＰＵ２０は、そのデータ４０１および４０２に記録されたアクセス日時およびその回数（カウント数）を算出し、広告主６００によって要求された視聴データを取得する。この処理により、特定の広告主が提供する全てのａｄアイテムに関する視聴データを取得することができる。
この発明は、ステップＳ９５４の処理が示すように、２つ以上の異なるパラメータによって定義されるデータの配信ログを、各パラメータを基準とした個別の配信ログとして取得する技術を含む。より具体的には、異なるパラメータによって定義されるデータに対して、それらのパラメータを含めた情報をヘッダ情報（ＰＶ−ＩＤおよびａｄ−ＩＤ）として記録しておく。そして、データの配信が行われる毎に、各パラメータを基準とした個別の配信ログ（広告主ＰＣ６００用または、レコード会社ＰＣ５００用にカスタマイズされた視聴データ）を、そのヘッダ情報を利用して効果的に記録する技術を含んでいる。
−−５．実施形態による効果−−
実施形態では、ＰＶａｄの配信を受けるユーザは、自己の興味のあるプロモーション映像を視聴しつつ、そのプロモーション映像に含まれる広告映像を充分認識することになる。なぜならば、プロモーション映像は、出演するアーティストに興味があるユーザによって視聴選択される傾向が強い性質を持つのが一般的であるから、そのユーザは、その映像に含まれる広告映像に対しても充分な興味を抱く可能性が高いからである。したがって、実施形態によるＰＶａｄにより、広告映像の対象となる商品またはサービスの宣伝広告効果を高めることができ、広告主は、その商品等の販売促進効果を高めることができる。
実施形態では、異なるパラメータによって定義されるデータに対して、それらのパラメータを含めた情報をヘッダ情報（ＰＶ−ＩＤおよびａｄ−ＩＤ）として記録している。これにより、実施形態は、各パラメータを基準とした個別の配信ログ（広告主ＰＣ６００用または、レコード会社ＰＣ５００用にカスタマイズされた視聴データ）を、そのヘッダ情報を利用して効果的に記録するＷｅｂ技術を提供している。
ここで、従来のプロモーション映像のテレビ放送またはインターネット配信においては、広告主は、ＣＭ放送やバナー広告等を利用して商品等の宣伝広告を行っている。しかしながら、それらのＣＭ放送やバナー広告は、プロモーション映像とは切り離された独立の広告情報である。したがって、プロモーション映像に関心のあるユーザが、必ずしもそれらの独立した広告情報に対して接触あるいは認識するとは限らない。この点、実施形態によるＰＶａｄによれば、プロモーション映像中に広告映像が含まれているため、そのプロモーション映像に関心のあるユーザは、より積極的にその広告映像の広告対象を認識することになる。なお、より一層宣伝広告機能が高めるため、ＰＶａｄに出演するアーティストが広告対象の商品またはサービスを積極的に利用等しているシーンを広告映像とするのが好ましい。
実施形態では、ＰＶａｄ視聴カウンタＤＢ４００には、アーティストおよびその楽曲を特定するＰＶ−ＩＤ、広告対象を特定するａｄ−ＩＤの２種類のＩＤによって視聴ログが記録される（図６参照）。これにより、複数のＰＶａｄが配信される場合にも、あるアーティストおよび楽曲のプロモーションビデオを含むＰＶａｄの配信履歴の結果はどうであるか、あるいは、ある広告対象の広告映像を含むＰＶａｄの配信履歴の結果はどうであるか、という別々の基準に基づいて配信ログを記録することができる。したがって、プロモーション映像の制作に関係するレコード会社、および広告映像の制作に関係する広告主は、それぞれ、視聴ログの中から必要なデータを簡易に取得することができる。
実施形態では、ＰＶａｄサービスサーバ２００は、視聴データサービス処理において、アクセスしてきたクライアント（広告主ＰＣ６００またはレコード会社ＰＣ５００）について、ＩＤ／パスワードに基づいてクライアント認証し（図９ステップＳ９５２参照）、そのクライアント用の視聴データのみを送信することとしている（図９ステップＳ９５４、Ｓ９５６参照）。これにより、ＰＶａｄサービスサーバ２００は、不必要な視聴データをクライアントに送信しないという効果がある。したがって、各クライアントの視聴データに関する営業秘密を確実に保護することができる。このように、クライアント毎に視聴データのアクセス制限をすることができるのは、ＰＶａｄというコンテンツを、その各構成要素を指示するＰＶ−ＩＤおよびａｄ−ＩＤという２種類のＩＤによって特定する、という本発明独自のコンテンツの特定方法によるものである。なお、ＰＶａｄサービスの運営上、クライアント毎に視聴データをカスタマイズする必要がなければ図９ステップＳ９５４の処理を省略してもよいし、その他、視聴データのアクセス制限をする必要がなければ、ＩＤ／パスワードによるクライアント認証処理（図９ステップＳ９５０、９０７、Ｓ９０９、Ｓ９１１、Ｓ９５２）を省略してもよい。
また、クライアントは、視聴データサービスによって視聴ログを取得することができるため、その視聴ログを基準にすることによって広告主またはレコード会社について発生する費用の決定が容易になる。例えば、あらかじめ広告主とレコード会社との間で視聴単価（例えば、一視聴ログ数に対する金額）を設定しておき、広告主は、その視聴単価に視聴ログ数を乗じた金額を、達成視聴ログ報酬としてレコード会社に支払うこととする（特許請求の範囲の「視聴ログに基づいて、前記広告映像の提供元が前記プロモーション映像の提供元に対して視聴報酬を支払う」に対応）。このような費用決定手法により、レコード会社としては、より視聴ログを多く獲得できるＰＶａｄを作成することととなり、一方、広告主としては、自社の商品等を効果的に宣伝するためにそのようなＰＶａｄを作成するレコード会社を選択することが期待される。したがって、より多くの広告主に選択されるレコード会社は、より多くの達成視聴ログ報酬を得ることができ、結果的に質の高いＰＶａｄが作成され、かつ、商品等の宣伝広告機能も向上するという経済的な効果も生ずることが期待される。いずれにしても、このような効果が生ずるのは、クライアントが視聴データサービスによって視聴ログを取得することができるという実施形態独自の構成によるものである。
また、クライアントは、視聴データサービスによって取得した視聴データによってプロモーション映像や広告映像に関する視聴者の評価レベル（視聴率等）を解析することができる。したがって、クライアントは、ユーザ評価レベルの高いＰＶａｄの制作戦略について、視聴データを利用することができる。特に、図１１Ｂに示す広告主用視聴データのように時間帯別アクセス数を取得できることとすると、各クライアントは、より詳細な視聴者の評価レベルを得ることができる。
さらに、視聴ログをＰＶａｄ視聴カウンタＤＢ４００に記録する際に、ＰＶａｄサービスサーバ２００のＣＰＵ２０が、ユーザの性別、年齢、住所、職業等のプロファイルを記録しておくようにすれば、視聴データサービスで提供する視聴データをより詳細に構成することも可能である。具体的には、例えば、広告対象としてＰＶａｄに含めた商品の宣伝ターゲット年齢層が絞られている場合に、視聴ログ数からそのターゲット年齢層のみを抽出して解析することで、制作したＰＶａｄの評価を精度良く行うことができる。これにより、ＰＶａｄを利用した効果的なマーケティング活動を行うことができる。なお、ユーザのプロファイルの記録は、ユーザがＰＶａｄ配信サービスの提供を受ける際に、あらかじめユーザ登録によって上記プロファイルの入力を要求するようにすればよい。
その他、ＰＶａｄサービスサーバ２００のＣＰＵ２０は、広告主ＰＣ６００等からの要求に応じて視聴データを送信する場合に限らず、ＰＶａｄ視聴カウンタＤＢ４００を参照して、所定の視聴カウント毎、あるいは所定の期間毎に視聴データを送信（例えばメール送信など）するようにしてもよい。
−−６．本発明のその他の実施形態−−
６−１．システム構成のバリエーション
実施形態では、ユーザ端末としてユーザＰＣ１００を例示したが、これに限られるものではなく、Ｐｅｒｓｏｎａｌ  Ｄｉｇｉｔａｌ  Ａｓｓｉｓｔａｎｔ（ＰＤＡ）や携帯電話等のその他の機器を利用してもよい。
実施形態では、ＰＶａｄサービスサーバ２００が、視聴ログをＰＶａｄ視聴カウンタＤＢ４００に記録することとしているが（図７ステップＳ７５８参照）、これに限らず、視聴ログを記録するサーバ（特許請求の範囲の「コンテンツ配信履歴記録装置」に対応する）を別に備えるようにしてもよい。この場合、その視聴ログを記録するサーバは、ＰＶａｄを配信した情報（ＰＶａｄ−ＩＤ、ＰＶ−ＩＤ、ａｄ−ＩＤ、アクセス日時に関する情報等）をインターネット上で取得できるようにすればよい。
実施形態では、ＰＶａｄサービスの運営としてインターネットを利用した例によって説明したが、これに限らず、蓄積型放送、ＨＤ放送、双方向データ放送等を利用してもよい。この場合、ユーザによるＰＶａｄの視聴ログは、電話線等を利用して取得するようにすればよい。
６−２．プログラム実行方法等
実施形態では、ユーザＰＣ１００のＣＰＵ１０、ＰＶａｄサービスサーバ２００のＣＰＵ２０、広告主ＰＣ６００のＣＰＵ６０の動作のためのプログラムを、それぞれ、ハードディスク１４、ハードディスク２４、ハードディスク６４に記憶させているが、それらのプログラムは、プログラムが記憶されたＣＤ−ＲＯＭから読み出してインストールすればよい。また、ＣＤ−ＲＯＭ以外に、フレキシブルディスク（ＦＤ）、ＩＣカード等の、プログラムをコンピュータ可読の記録媒体からインストールさせるようにしてもよい。さらに、通信回線を用いてプログラムをダウンロードするようにすることもできる。また、ＣＤ−ＲＯＭからプログラムをインストールすることにより、ＣＤ−ＲＯＭに記憶させたプログラムを間接的にコンピュータに実行させるのではなく、ＣＤ−ＲＯＭに記憶させたプログラムを直接的に実行するようにしてもよい。
なお、コンピュータによって、実行可能なプログラムとしては、そのままのインストールするだけで直接実行可能なものはもちろん、一旦他の形態等に変換が必要なもの（例えば、データ圧縮されているものを解凍する等）、さらには、他のモジュール部分と組合して実行可能なものも含む。
上記実施形態では、各処理をＣＰＵおよびプログラムによって実現することとしているが、各機能の一部または全部をハードウェアロジック（論理回路）によって構成してもよい。
６−３．ＰＶａｄマッチングシステムの運営手法のバリエーション
本実施形態によるＰＶａｄサービスシステム８は、レコード会社が使用するレコード会社ＰＣ５００、広告主が使用する広告主ＰＣ６００、ＰＶａｄサービスを行う事業主が管理するＰＶａｄサービスサーバ２００、ユーザが使用するユーザＰＣ１００で構成される例を示したが、これに限られるものではない。
その他の実施形態として、本発明の「プロモーション映像」としてのプロモーションビデオに換えて、映画、またはドラマを採用した場合を説明する。この場合、実施形態における「レコード会社ＰＣ５００」は、映画会社、またはタレント事務所などが管理する。また、本発明の「アーティスト」として、俳優、またはタレントなどが該当することになる。
以上、本発明の概要および本発明の好適な実施形態を説明したが、各用語は、限定のために用いたのではなく説明のために用いたのであって、本発明に関連する技術分野の当業者は、本発明の説明の範囲内でのシステム、装置、及び方法のその他の変形を認め実行することができる。したがって、そのような変形は、本発明の範囲内に入るものとみなされる。
【図面の簡単な説明】
図１は、ＰＶａｄ（プロモーションビデオ・アドバタイズメント）サービスシステムの概略図である。
図２は、ユーザＰＣのブロック図である。
図３は、広告主ＰＣのブロック図である。
図４は、ＰＶａｄサービスサーバのブロック図である。
図５は、ＰＶａｄデータベースの構成を示す図である。
図６は、ＰＶａｄ視聴カウンタデータベースの構成を示す図である。
図７は、ＰＶａｄ配信サービスのフローチャートである。
図８Ａは、メインメニュー画面例である。
図８Ｂは、ＰＶａｄ画面例である。
図９は、ＰＶａｄ視聴データサービスのフローチャートである。
図１０Ａは、ＩＤ／パスワード入力画面例である。
図１０Ｂは、ＩＤ／パスワード確認画面例である。
図１１Ａ、図１１Ｂ、図１１Ｃは、広告主用視聴データ画面例である。
図１２は、レコード会社用視聴データ画面例である。
図１３は、ＰＶａｄサービスシステムのシステム図である。
【図１】
2003060731.tif 000003
【図２】
2003060731.tif 000004
【図３】
2003060731.tif 000005
【図４】
2003060731.tif 000006
【図５】
2003060731.tif 000007
【図６】
2003060731.tif 000008
【図７】
2003060731.tif 000009
【図８Ａ】
2003060731.tif 000010
【図８Ｂ】
2003060731.tif 000011
【図９】
2003060731.tif 000012
【図１０Ａ】
2003060731.tif 000013
【図１０Ｂ】
2003060731.tif 000014
【図１１Ａ】
2003060731.tif 000015
【図１１Ｂ】
2003060731.tif 000016
【図１１Ｃ】
2003060731.tif 000017
【図１２】
2003060731.tif 000018
【図１３】
2003060731.tif 000019
【国際調査報告】
2003060731.tif 000020
2003060731.tif 000021
2003060731.tif 000022
2003060731.tif 000023